(57)【特許請求の範囲】
【請求項１】
開放型循環冷却水系に次亜塩素酸カルシウムを注入する薬注方法において、
該循環冷却水系から循環冷却水の一部を抜き出し、該抜き出された水（以下「抜出水」と称す。）に酸を添加した後、次亜塩素酸カルシウムを添加し、該次亜塩素酸カルシウムが添加された水を前記循環冷却水系に戻す薬注方法であって、
該循環冷却水系のｐＨが６〜１０を維持するように、前記抜出水に酸を添加すると共に、前記次亜塩素酸カルシウムが添加された水のｐＨが５以下となるように、前記抜出水の抜き出し量を調整することを特徴とする開放型循環冷却水系の薬注方法。
【請求項２】
請求項１において、前記酸が無機酸であることを特徴とする開放型循環冷却水系の薬注方法。
【請求項３】
請求項２において、前記無機酸が硫酸、塩酸及び硝酸よりなる群から選ばれる１種以上であることを特徴とする開放型循環冷却水系の薬注方法。
【請求項４】
請求項１ないし３のいずれか１項において、前記抜出水にニコチン酸アミドを添加することを特徴とする開放型循環冷却水系の薬注方法。
【請求項５】
請求項１において、前記酸が添加された抜出水を、次亜塩素酸カルシウムを含有する固形剤と接触させて、該固形剤から該水に次亜塩素酸カルシウムを溶出させることにより、該水に次亜塩素酸カルシウムを添加することを特徴とする開放型循環冷却水系の薬注方法。
【請求項６】
請求項５において、前記固形剤が錠剤であることを特徴とする開放型循環冷却水系の薬注方法。
【請求項７】
請求項１ないし６のいずれか１項において、前記次亜塩素酸カルシウムが添加された水のｐＨが３以下となるように、前記抜出水の抜き出し量を調整することを特徴とする開放型循環冷却水系の薬注方法。
【請求項８】
開放型循環冷却水系に次亜塩素酸カルシウムを注入する薬注装置において、
該循環冷却水系から循環冷却水の一部を抜き出す抜出手段と、
該抜出手段で抜き出された水（以下「抜出水」と称す。）に酸を添加する酸添加手段と、
該酸が添加された抜出水に次亜塩素酸カルシウムを添加する次亜塩素酸カルシウム添加手段と、
該次亜塩素酸カルシウムが添加された水を前記循環冷却水系に戻す返送手段とを有し、
該酸添加手段は、前記循環冷却水系のｐＨが６〜１０を維持するように、前記抜出水に酸を添加する手段であり、
該抜出手段は、前記次亜塩素酸カルシウムが添加された水のｐＨが５以下となるように、該循環冷却水系から循環冷却水の一部を抜き出す手段であることを特徴とする開放型循環冷却水系の薬注装置。
【請求項９】
請求項８において、前記抜出手段は、前記開放型循環冷却水系から循環冷却水の一部を抜き出す抜出配管であり、
前記酸添加手段は、該抜出配管に酸を注入する酸注入配管であり、
前記次亜塩素酸カルシウム添加手段は、前記酸が添加された抜出水が流入する水槽と、該水槽内に設置された、水透過性の容器と、該容器内に充填された次亜塩素酸カルシウムを含有する固形剤とを備え、該固形剤に該酸が添加された抜出水を接触させることにより、該水に該固形剤から次亜塩素酸カルシウムを溶出させるものであり、
前記返送手段は、該水槽内の水を該開放型循環冷却水系に戻す返送配管であることを特徴とする開放型循環冷却水系の薬注装置。
【請求項１０】
請求項８又は９において、前記抜出水にニコチン酸アミドを添加するニコチン酸アミド添加手段を有することを特徴とする開放型循環冷却水系の薬注装置。
【請求項１１】
請求項８ないし１０のいずれか１項に記載の開放型循環冷却水系の薬注装置を備える開放型循環冷却水設備。
【発明の詳細な説明】
【技術分野】
【０００１】
本発明は、開放型循環冷却水系のスライム障害防止のための抗菌・殺菌剤として次亜塩素酸カルシウムを添加する薬注方法及び薬注装置に係り、特に、次亜塩素酸カルシウム添加部位でのカルシウム系スケールを防止する開放型循環冷却水系の薬注方法及び薬注装置に関する。本発明はまた、この薬注装置を備える開放型循環冷却水設備に関する。
【背景技術】
【０００２】
工場、ビルなどのコンプレッサー、冷凍機で発生した廃熱は、熱交換器を介して冷却水（冷却媒体）で冷却されている。熱交換器において、廃熱との熱交換で温度が上昇した冷却水は開放型冷却塔で空気と接触することで蒸発して放熱、冷却され、再び熱交換器に循環される。従って、このような開放型循環冷却水系では、冷却塔で蒸発ないし飛散して減少した水量に相当する補給水が補給されて運転が行われているが、補給水成分に有機成分やリンなどの栄養素が含まれている場合や、外部環境によっては冷却塔に栄養成分が混入してくる場合がある。冷却水の水温は３０℃前後とスライムやカビが繁殖しやすい環境にあり、スライム処理を行わなければ熱交換器や配管へのスライム付着による熱交換効率の低下、通水抵抗の増加、または微生物腐食といった各種運転障害を引き起こすことになる。
【０００３】
そこで、開放型循環冷却水系のスライム障害を防止するために、次亜塩素酸塩等の抗菌・殺菌剤を添加することが行われており、このような用途に用いられる次亜塩素酸カルシウムの錠剤も市販されている（例えば、栗田工業（株）製「クリタイトＣＷ−３００」）。
【０００４】
錠剤型の水処理薬剤を水に溶解させるための溶解装置として、実用新案登録第３１７３５４０号公報には、通水孔を有する筒状容器内に固形薬剤を充填し、これを流水路に設置し、通水孔を流通する水に固形薬剤を接触させて薬剤を溶出させるものが提案されている。本公報には、冷却塔への適用についての記載はあるが、次亜塩素酸カルシウムの固形薬剤を溶解させる場合のカルシウム系スケールの問題についての認識はない。
【０００５】
特開２０１０−１６２４７６号公報には、病院や厨房等において、医療器具の殺菌、リネンの殺菌、調理器具の殺菌、野菜、肉、魚介類等の食品の殺菌に用いるｐＨ５〜６の次亜塩素酸ナトリウム溶液の連続自動生成器として、給水管に酸注入口と、その下流に次亜塩素酸ナトリウム注入口を設けたものが記載されている。ここで酸を添加するのは、次亜塩素酸ナトリウム溶液をｐＨ５付近に調整して高い殺菌効果を得るためである。
【先行技術文献】
【特許文献】
【０００６】
【特許文献１】実用新案登録第３１７３５４０号公報
【特許文献２】特開２０１０−１６２４７６号公報
【発明の概要】
【発明が解決しようとする課題】
【０００７】
開放型循環冷却水系において、次亜塩素酸カルシウムの錠剤を用いて水処理を行う場合、例えば、実用新案登録第３１７３５４０号公報に記載されるような固形薬剤溶解装置に次亜塩素酸カルシウムの錠剤を充填して、循環冷却水系から抜き出した水を流通させ、次亜塩素酸カルシウムを溶出させた水を再び循環冷却水系に戻すことが考えられるが、本発明者らの検討により、このようにすると、次亜塩素酸カルシウムの溶出部や次亜塩素酸カルシウムを溶出させた水を循環冷却水系に戻す配管において、カルシウム系のスケールが生成し、生成したスケールで、錠剤充填容器の通水孔が塞がれてしまうために、安定した通水、次亜塩素酸カルシウムの溶出を行うことができなくなること、また、経時により水の流通路が閉塞されることで、安定的な薬注による水処理を行うことができなくなることが判明した。
即ち、開放型循環冷却水系では、系内の腐食を防止するために、循環冷却水のｐＨを６〜１０に維持するような運転が行われているが、ｐＨ６〜１０の中性〜アルカリ性の水に次亜塩素酸カルシウムを溶出させると、カルシウム成分が析出してスケール化する。
【０００８】
本発明は、開放型循環冷却水系のスライム障害防止のための抗菌・殺菌剤として次亜塩素酸カルシウムを添加する水処理において、循環冷却水系の耐腐食環境を維持した上で、次亜塩素酸カルシウム添加部位でのカルシウム系スケールを防止する開放型循環冷却水系の薬注方法及び薬注装置と、この薬注装置を備える開放型循環冷却水設備を提供することを課題とする。
【課題を解決するための手段】
【０００９】
本発明者らは、上記課題を解決すべく鋭意検討を重ねた結果、循環冷却水系から抜き出した水に次亜塩素酸カルシウムを添加する部位の上流側で酸を添加してｐＨを下げることにより、カルシウム系スケールを防止することができること、このように酸を添加した水を循環冷却水系に戻すと、循環冷却水系のｐＨが下がり、腐食性が高くなることが懸念されるが、この抜き出し水量を循環冷却水系のｐＨを６〜１０に維持し得るような水量に調整することにより、循環冷却水系における耐腐食環境を保つことができることを見出した。
【００１０】
本発明はこのような知見に基づいて達成されたものであり、以下を要旨とする。
【００１１】
［１］  開放型循環冷却水系に次亜塩素酸カルシウムを注入する薬注方法において、該循環冷却水系から循環冷却水の一部を抜き出し、該抜き出された水（以下「抜出水」と称す。）に酸を添加した後、次亜塩素酸カルシウムを添加し、該次亜塩素酸カルシウムが添加された水を前記循環冷却水系に戻す薬注方法であって、該循環冷却水系のｐＨが６〜１０を維持するように、前記抜出水に酸を添加すると共に、前記次亜塩素酸カルシウムが添加された水のｐＨが５以下となるように、前記抜出水の抜き出し量を調整することを特徴とする開放型循環冷却水系の薬注方法。
【００１２】
［２］  ［１］において、前記酸が無機酸であることを特徴とする開放型循環冷却水系の薬注方法。
【００１３】
［３］  ［２］において、前記無機酸が硫酸、塩酸及び硝酸よりなる群から選ばれる１種以上であることを特徴とする開放型循環冷却水系の薬注方法。
【００１４】
［４］  ［１］ないし［３］のいずれかにおいて、前記抜出水にニコチン酸アミドを添加することを特徴とする開放型循環冷却水系の薬注方法。
【００１５】
［５］  ［１］において、前記酸が添加された抜出水を、次亜塩素酸カルシウムを含有する固形剤と接触させて、該固形剤から該水に次亜塩素酸カルシウムを溶出させることにより、該水に次亜塩素酸カルシウムを添加することを特徴とする開放型循環冷却水系の薬注方法。
【００１６】
［６］  ［５］において、前記固形剤が錠剤であることを特徴とする開放型循環冷却水系の薬注方法。
【００１７】
［７］  ［１］ないし［６］のいずれかにおいて、前記次亜塩素酸カルシウムが添加された水のｐＨが３以下となるように、前記抜出水の抜き出し量を調整することを特徴とする開放型循環冷却水系の薬注方法。
【００１８】
［８］  開放型循環冷却水系に次亜塩素酸カルシウムを注入する薬注装置において、該循環冷却水系から循環冷却水の一部を抜き出す抜出手段と、該抜出手段で抜き出された水（以下「抜出水」と称す。）に酸を添加する酸添加手段と、該酸が添加された抜出水に次亜塩素酸カルシウムを添加する次亜塩素酸カルシウム添加手段と、該次亜塩素酸カルシウムが添加された水を前記循環冷却水系に戻す返送手段とを有し、該酸添加手段は、前記循環冷却水系のｐＨが６〜１０を維持するように、前記抜出水に酸を添加する手段であり、該抜出手段は、前記次亜塩素酸カルシウムが添加された水のｐＨが５以下となるように、該循環冷却水系から循環冷却水の一部を抜き出す手段であることを特徴とする開放型循環冷却水系の薬注装置。
【００１９】
［９］  ［８］において、前記抜出手段は、前記開放型循環冷却水系から循環冷却水の一部を抜き出す抜出配管であり、前記酸添加手段は、該抜出配管に酸を注入する酸注入配管であり、前記次亜塩素酸カルシウム添加手段は、前記酸が添加された抜出水が流入する水槽と、該水槽内に設置された、水透過性の容器と、該容器内に充填された次亜塩素酸カルシウムを含有する固形剤とを備え、該固形剤に該酸が添加された抜出水を接触させることにより、該水に該固形剤から次亜塩素酸カルシウムを溶出させるものであり、前記返送手段は、該水槽内の水を該開放型循環冷却水系に戻す返送配管であることを特徴とする開放型循環冷却水系の薬注装置。
【００２０】
［１０］  ［７］又は［８］において、前記抜出水にニコチン酸アミドを添加するニコチン酸アミド添加手段を有することを特徴とする開放型循環冷却水系の薬注装置。
【００２１】
［１１］  ［７］ないし［１０］のいずれかに記載の開放型循環冷却水系の薬注装置を備える開放型循環冷却水設備。
【発明の効果】
【００２２】
本発明によれば、開放型循環冷却水系のスライム障害防止のための抗菌・殺菌剤として次亜塩素酸カルシウムを添加する水処理において、循環冷却水系の耐腐食環境を維持した上で、次亜塩素酸カルシウム添加部位でのカルシウム系スケールを防止することができる。
【図面の簡単な説明】
【００２３】
【図１】本発明の実施の形態に係る開放型循環冷却水系の薬注装置を備える開放型循環冷却水設備を示す系統図である。
【図２】図１の要部を示す模式的な断面図である。
【図３】実験例１の結果を示すグラフである。
【発明を実施するための形態】
【００２４】
以下に図面を参照して本発明の実施の形態を詳細に説明する。
【００２５】
図１は、実施の形態に係る開放型循環冷却水系の薬注装置を備える開放型循環冷却水設備を示す系統図である。
１は冷却塔であり、ケーシング（塔体）１Ａを備え、ケーシング１Ａの側面に空気流入口１Ｂが形成され、底部に冷却水の水槽（ピット）１Ｃが設けられている。ケーシング１Ａ内に充填材１Ｄが収容され、充填材１Ｄの上方に、冷却水の散水ノズル１Ｅが配設されている。ケーシング１Ａの頂部に開口１Ｆが設けられ、この開口１Ｆに送風機１Ｇが設けられている。
冷却塔１の水槽１Ｃから、ポンプＰ１を有する循環配管２により冷却水が熱交換器３に送給され、戻り水が配管４より冷却塔１に戻され、散水ノズル１Ｅから充填材１Ｄに散水される。５は補給水の導入配管、６はブロー配管である。
【００２６】
冷却塔１の充填材１Ｄには、循環冷却水を抜き出す抜出配管１１が設けられており、抜出配管１１で循環冷却水の一部が抜き出される。抜出配管１１より抜き出された抜出水は、配管１２より酸が添加された後、次亜塩素酸カルシウム添加手段１０で次亜塩素酸カルシウムが添加され、返送配管１３より冷却塔１の水槽（ピット）１Ｃに戻される。
なお、循環冷却水の抜き出し箇所は、何ら充填材１Ｄに限定されず、循環配管２や水槽（ピット）１Ｃから抜き出してもよい。また、次亜塩素酸カルシウム添加後の水の返送箇所も何ら水槽（ピット）１Ｃに限定されない。
【００２７】
本実施の形態において、次亜塩素酸カルシウム添加手段１０は、図２に示すように、抜出配管１１からの抜出水が導入される水槽７と、この水槽７内に設けられた容器８とで主として構成される。容器８内には次亜塩素酸カルシウムの錠剤９が充填されている。容器８は筒状であり、壁面の複数箇所に通水孔８ａが設けられている。
本実施の形態において、容器８は水槽７内に４個設けられているが、図２においては、図示を簡略化して２個の容器８のみ図示されている。ただし、容器の数は４個に限定されない。
水槽７内に導入された抜出水が、この容器８の通水孔８ａから容器８内に流入し、次亜塩素酸カルシウムの錠剤９と接触すると、次亜塩素酸カルシウムの錠剤９から次亜塩素酸カルシウムが溶出する。溶出した次亜塩素酸カルシウムを含む次亜塩素酸カルシウム溶液は、水槽７から返送配管１３を経て水槽（ピット）１Ｃに戻される。
【００２８】
本発明においては、循環冷却水系のｐＨが６〜１０、好ましくは７〜９を維持するように、抜出水に酸を添加する。循環冷却水系のｐＨが６未満であると系内の腐食が問題となり、１０を超えるとスケール析出の問題がある。
酸を添加してｐＨを下げた返送水を配管１３から水槽（ピット）１Ｃに戻すことにより、循環冷却水系のｐＨが影響を受け、ｐＨが低下するおそれがあるが、循環冷却水系のｐＨが６〜１０、好ましくは７〜９を維持するように抜出水に酸を添加すれば、このような問題を引き起こすことはない。
なお、酸は、上記のｐＨに維持することができれば、抜出水に連続的に添加しても間欠的に添加してもよい。
【００２９】
本発明においてはまた、次亜塩素酸カルシウム添加後の抜出水、即ち、図１，２においては、次亜塩素酸カルシウム添加手段１０から流出して水槽（ピット）１Ｃに戻される水のｐＨが５以下となるように、抜出配管１１を経て抜き出す抜出水量を調整する。このｐＨ値が５よりも高いと、酸を添加することによるカルシウム系スケールの析出防止効果を十分に得ることができない。カルシウム系スケールの析出防止効果の面では、ｐＨ値は低い程好ましく、このｐＨ値が３以下、例えばｐＨ１〜３となるように、抜出配管１１を経て抜き出す抜出水量を調整することが好ましい。
【００３０】
循環冷却水系のｐＨを６〜１０に維持するような酸添加量において、循環冷却水系に戻される、次亜塩素酸カルシウム添加後の水のｐＨが５以下、好ましくは３以下となるようにするための抜出水量は、返送配管１３からの返送水のｐＨや、循環冷却水系の循環水量によっても異なるが、抜出水量を循環冷却水系の循環水量の１／１００以下、例えば１／５００〜１／１００００とすることにより、ｐＨ５以下、好ましくはｐＨ１〜３の返送水を戻しても、循環冷却水系のｐＨを６〜１０に安定に維持することが可能となる。
なお、ここで、循環水量とは、開放型循環冷却水系の全保有水量のうち、水槽（ピット）１Ｃに貯留されている水量を差し引いた、開放型循環冷却水系内を循環している水量に該当する。
【００３１】
抜出水に添加する酸としては、無機酸を用いることが好ましく、例えば、硫酸、塩酸、硝酸等を用いることができる。これらの酸は１種のみを用いてもよく、２種以上を混合して用いてもよい。これらの無機酸は、通常、１〜５０重量％程度の水溶液として注入される。
【００３２】
図２では、錠剤型の次亜塩素酸カルシウムを用いているが、次亜塩素酸カルシウムを含む固形剤であれば、図２の次亜塩素酸カルシウム添加手段１０に適用することができる。固形剤は、次亜塩素酸カルシウム以外の他の水処理薬剤や、次亜塩素酸カルシウムの溶出量調整のための充填剤を含むものであってもよい。固形剤の形状は円盤型、その他の錠剤形状に限らず、他の異なる形状であってもよい。
【００３３】
抜出水への次亜塩素酸カルシウムの添加量、即ち、図２においては、次亜塩素酸カルシウムの錠剤９からの次亜塩素酸カルシウムの溶出量は、循環冷却水系において、次亜塩素酸カルシウムによる抗菌・殺菌効果が得られる程度であればよい。
循環冷却水系において次亜塩素酸カルシウムによる十分な抗菌・殺菌効果を得るためには、循環冷却水系における次亜塩素酸カルシウム濃度は、全残留塩素濃度で通常１〜１０ｍｇＣｌ２／Ｌ、好ましくは０．２〜１．０ｍｇＣｌ２／Ｌ程度である。なお、ここで、「ｍｇＣｌ２／Ｌ」とは、次亜塩素酸カルシウムを塩素に換算して示される水中の残留塩素濃度である。従って、循環冷却水系においてこのような全残留塩素濃度となるように、返送配管１３からの返送水の次亜塩素酸カルシウム濃度を、抜出水量、開放型循環冷却水系の全保有水量に応じて設定し、次亜塩素酸カルシウム添加手段１０における次亜塩素酸カルシウム溶出量がこのような濃度となるように調整することが好ましい。次亜塩素酸カルシウム溶出量は、抜出水の流速や、容器８の通水孔８ａの孔径や数、配置形態、容器８内の次亜塩素酸カルシウム９の充填量などの条件を適宜変更することにより調整することができる。
【００３４】
本発明において、次亜塩素酸カルシウム添加手段１０は、抜出水に次亜塩素酸カルシウムを添加することができるものであればよく、何ら図２に示すものに限定されない。例えば、高濃度次亜塩素酸カルシウムスラリーを酸添加後の抜出水に添加するものであってもよく、酸添加後の抜出水が流入する水槽に次亜塩素酸カルシウム粉末を散布するものであってもよい。この場合においても、酸添加によるカルシウム系スケール防止効果を有効に得ることができる。
【００３５】
ところで、次亜塩素酸カルシウムのような塩素系酸化剤による水処理を行っている水系では、系内に酸化性の強い残留塩素が存在するために、腐食反応が促進される結果、銅系部材の腐食傾向が高まることが知られている。
このような水系の銅系部材の腐食の低減に、食品添加物素材であるニコチン酸アミドが有効であるため、抜出水に更にニコチン酸アミドを添加して循環冷却水系における銅系部材の腐食抑制を図ることもできる。
【００３６】
この場合、ニコチン酸アミドは、酸とは別に抜出水に添加してもよいが、前述の酸と予め混合して一剤化したものを酸注入配管１２から注入することが好ましい。
【００３７】
このようにして、水系に添加されたニコチン酸アミドは、水中の次亜塩素酸カルシウム由来の遊離塩素と反応して遊離塩素を結合塩素に変換する。結合塩素は銅系部材に対する腐食の問題がないため、次亜塩素酸カルシウムによる銅系部材の腐食を低減することができる。
【００３８】
ニコチン酸アミドの添加量としては、前述の濃度で次亜塩素酸カルシウムが添加された循環冷却水系におけるニコチン酸アミドの有効成分濃度が０．１〜２０ｍｇ／Ｌとなるように添加することが好ましい。
【００３９】
ニコチン酸アミドの添加量が少な過ぎるとニコチン酸アミドを添加したことによる銅系部材の腐食低減効果を十分に得ることができず、一方で、ニコチン酸アミドを上記上限値よりも多く添加しても添加量に見合う効果は得られず徒に薬剤使用量が多くなり実用上好ましくない。
ニコチン酸アミドについても、連続的に添加しても間欠的に添加してもよい。
【００４０】
本発明においては、酸やニコチン酸アミドの他、スケール防止剤、次亜塩素酸カルシウム以外の抗菌・殺菌剤、防食剤、分散剤、剥離剤、消泡剤、界面活性剤、キレート剤などのその他の水処理薬剤を抜出水に添加してもよい。
【００４１】
本発明で水処理対象とする開放型循環冷却水系のカルシウム硬度は通常３０〜５００ｍｇＣａＣＯ３／Ｌで、酸消費量（ｐＨ４．８）は通常３０〜５００ｍｇＣａＣＯ３／Ｌである。
【実施例】
【００４２】
以下に実験例及び実施例を挙げて本発明をより具体的に説明する。
【００４３】
［実験例１］
以下の手順でカルシウム系スケールの溶解試験を行った。
（１）  １００Ｌタンクに水道水１００Ｌを入れた。
（２）  タンク内の水のｐＨを８．４に調整し、水温を２５〜３０℃に設定した。
（３）  カルシウム系スケール０．５ｇを図２に示す次亜塩素酸カルシウム添加手段１０の水槽７の容器８内に、次亜塩素酸カルシウム９の代りに添加した。
（４）  （２）のｐＨ調整水を６０Ｌ／時間で次亜塩素酸カルシウム添加手段１０の水槽７に通水した。この際、水槽７の入口側で、水槽７の出口水のｐＨが各ｐＨ値となるように添加量を変えて硫酸を添加した。
（５）  水槽７の出口水のｐＨとカルシウム硬度を測定した。
水槽７の出口水のｐＨとカルシウム硬度との関係を表１及び図３に示す。
ここで、カルシウム硬度差は下記式で算出されるものであり、カルシウム系スケールの溶解量に相当する。
カルシウム硬度差＝出口水ｐＨが各ｐＨ値のときのカルシウム硬度
−出口水ｐＨが８．４のときのカルシウム硬度
＝カルシウム系スケール溶解量（ｍｇＣａＣＯ３／Ｌ）
【００４４】
【表１】
0006524759.tif 000002
【００４５】
表１より、出口水のｐＨが５程度でカルシウム系スケールが溶解し始め、ｐＨ３以下で、溶解量が増えること、従って、本発明に従って、抜出水に酸を添加してｐＨを５以下、好ましくは３以下に下げた後、次亜塩素酸カルシウムを添加することにより、カルシウム系スケールの析出を防止することができることが分かる。
【００４６】
［実験例２］
試験水中に試験片を浸漬して回転させることにより、試験片を腐食させる回転腐食試験装置を用いて、以下の手順で腐食試験を行った。
【００４７】
（１）  １Ｌビーカーに水道水脱塩素水１．０Ｌを入れた。
（２）  （１）のビーカーに、塩化ナトリウム水溶液（塩化物イオン濃度１０重量％）２．５ｍＬ、硫酸ナトリウム水溶液（硫酸イオン濃度１０重量％）２．５ｍＬ、及び０．１重量％ニコチン酸アミド水溶液１．５ｍＬを添加後、水酸化ナトリウムを添加してｐＨ８．０に調整した。この試験水のカルシウム硬度は４０〜６０ｍｇＣａＣＯ３／Ｌで酸消費量（ｐＨ４．８）は４０〜６０ｍｇＣａＣＯ３／Ｌである。また、塩化物イオン濃度は２５０ｍｇ／Ｌ、硫酸イオン濃度は２５０ｍｇ／Ｌ、全残留塩素濃度は０．５ｍｇＣｌ２／Ｌ、ニコチン酸アミド濃度は３．０ｍｇ／Ｌである。
（３）  （２）のビーカーを４０℃の試験水槽に入れた。
（４）  支持棒に銅試験片（５０ｍｍ×３０ｍｍ×１ｍｍ）を取り付け、（３）のビーカー内の試験水に浸るように装置にセットした。銅試験片はトルエンで脱脂して予め重量を測定しておいた。
（５）  （４）の支持棒を１４５ｒｐｍの回転速度で回転させて試験を開始した。
３日間の試験後、銅試験片を取り出して乾燥させて重量を測定し、腐食減量から腐食速度（ｍｇ／ｄｍ２／ｄａｙ）を算出した。
（６）  試験水にニコチン酸アミド水溶液を添加しなかったこと以外は、上記（１）〜（５）の手順で同様に腐食試験を行って腐食速度（ｍｇ／ｄｍ２／ｄａｙ）を求め、この値を１００％とした。
（７）  上記（６）で求めた腐食速度に対する、上記（５）で求めた腐食速度の割合を百分率で求めたところ、４７．５％であった。
この結果から、ニコチン酸アミドを添加することにより、銅系部材の腐食速度を１／２以下に低減することができ、ニコチン酸アミドが塩素系酸化剤を含む水系の銅系部材の腐食低減に有効であることが確認された。
【００４８】
［実施例１］
図１，２に示す装置で、本発明に従って、開放型循環冷却水設備の水処理を行った。
この開放型循環冷却水設備の循環水量は２５０ｍ３／ｈｒである。循環水の一部を抜出水として抜き出し、硫酸を添加した後、次亜塩素酸カルシウムの錠剤（栗田工業（株）製「クリタイトＣＷ−３００」）を用いた次亜塩素酸カルシウム添加手段１０に通水し、水槽（ピット）に戻した。抜出水の流速は１．０〜１．５Ｌ／ｍｉｎとした。
【００４９】
このとき、硫酸は、循環冷却水系のｐＨが６〜１０の範囲に維持されるように抜出水に添加すると共に、次亜塩素酸カルシウム添加手段１０の出口水のｐＨが１〜３となるように、循環水量の１／２５００を抜出水として抜き出した。
その結果、循環冷却水系のｐＨは６〜１０の範囲に維持され、また、循環冷却水系は次亜塩素酸カルシウムを全残留塩素濃度として約０．５ｍｇＣｌ２／Ｌ含むものとなり、循環冷却水系において、腐食の問題を引き起こすことなく、またスケール障害を引き起こすことなくスライムを防止することができた。
また、次亜塩素酸カルシウム添加手段１０及び返送配管１３にカルシウム系スケールが析出することも防止された。
【符号の説明】
【００５０】
１  冷却塔
３  熱交換器
７  水槽
８  容器
９  次亜塩素酸カルシウムの錠剤
１０  次亜塩素酸カルシウム添加手段
【図１】
0006524759.tif 000003
【図２】
0006524759.tif 000004
【図３】
0006524759.tif 000005